(57)【要約】【課題】　外径が小さくて鏡胴を細くでき、しかも厚みを薄く形成できるレンズカバーユニットを備えたカメラ。【解決手段】　撮影レンズの前方に、該撮影レンズ側から順に、回動することにより開閉作動するレンズカバー、該レンズカバーを軸支するレンズカバーベース、回動することにより前記レンズカバーを開閉させるレンズカバーリング、及び外装を行うと共に前記レンズカバーリングを保持する化粧枠を配置したこと。【選択図】　　　　図３
2004046242.tif 000002
【特許請求の範囲】
【請求項１】
撮影レンズの前方に、該撮影レンズ側から順に、回動することにより開閉作動するレンズカバー、該レンズカバーを軸支するレンズカバーベース、回動することにより前記レンズカバーを開閉させるレンズカバーリング、及び外装を行うと共に前記レンズカバーリングを保持する化粧枠を配置したことを特徴とするカメラ。
【請求項２】
前記レンズカバーリングを前記レンズカバーベースに設けた円形の溝に配置したことを特徴とする請求項１に記載のカメラ。
【発明の詳細な説明】
【技術分野】
【０００１】
　本発明は、レンズカバーを備えたカメラに関する。
【背景技術】
【０００２】
　従来より、撮影レンズの前方にレンズカバーを設けたカメラが多数あり、レンズカバーの他に、回動するレンズカバーを軸支するレンズカバーベース、回動することによりレンズカバーを開閉させるレンズカバーリング等が少なくとも配置されている。そして、これらは撮影レンズ側から順に、レンズカバーリング、レンズカバー、レンズカバーベースの順で配設されていた。
【発明の開示】
【発明が解決しようとする課題】
【０００３】
　このように、従来のレンズカバーユニットは撮影レンズ側から順に、レンズカバーリング、レンズカバー、レンズカバーベースの順で配設されていたので、レンズカバーはレンズカバーリングの厚みの分だけ撮影レンズの前玉から遠くに配置されており、前玉に斜めに入射する光線を考慮すると、大きく開口しなければならず、その結果、レンズカバーそのものの大きさも大きくなって、鏡胴も太くなっていた。また、レンズカバーユニットとしての厚みも、レンズカバーリング、レンズカバー、レンズカバーベースの３枚重ねとなってある程度の厚みが必要であった。
【０００４】
　かかる問題に鑑み、外径が小さくて鏡胴を細くでき、しかも厚みを薄く形成できるレンズカバーユニットを備えたカメラを提供することを本発明の課題とする。
【課題を解決するための手段】
【０００５】
　上記課題は、撮影レンズの前方に、該撮影レンズ側から順に、回動することにより開閉作動するレンズカバー、該レンズカバーを軸支するレンズカバーベース、回動することにより前記レンズカバーを開閉させるレンズカバーリング、及び外装を行うと共に前記レンズカバーリングを保持する化粧枠を配置したカメラにより解決される。
【発明の効果】
【０００６】
　請求項１のカメラによれば、レンズカバーは前玉の直前に配置されているので、前玉に斜めに入射する光線を考慮すると、最小限度の大きさで開口すればよく、この結果、レンズカバーそのものの大きさも小さくなり、鏡胴の外径も最小限度の太さに形成することができる。
【０００７】
　請求項２のカメラによれば、レンズカバーリングをレンズカバーベースに設けた円形の溝に配置したので、厚みの薄いレンズカバーユニットを実現することができる。
【発明を実施するための最良の形態】
【０００８】
　先ず、本発明におけるレンズカバーを有するカメラのズームレンズ鏡胴を図１及び図２により説明する。図１はズームレンズ鏡胴の縦断面図であり、光軸より上半分には短焦点に設定したときの状態を描いてあり、光軸より下半分には長焦点に設定したときの状態を描いてある。図２はズームレンズ鏡胴を示す分解斜視図である。
【０００９】
　両図において、１は固定胴であり、以下に述べる各部材を全て担持し、図示していないカメラ本体に固着されている。固定胴１は内周にメスヘリコイド１ａが螺設され、後述する直進ガイドのための図示していないガイド溝が光軸Ｏを中心に略対称位置に光軸Ｏと平行に２本設けられている。２はカム筒であり、外周にメスヘリコイド１ａと螺合するオスヘリコイド２ａと大歯車２ｂとが一体的に形成され、内周にメスヘリコイド２ｃとカム溝２ｄとが形成されている。また、大歯車２ｂの歯先円径はオスヘリコイド２ａの谷径より小さく形成されているので、固定胴１のメスヘリコイド１ａの山に当接することはない。３はカム筒２のメスヘリコイド２ｃ等を被覆する化粧枠である。
【００１０】
　４は第２レンズ群保持枠であり、その内周にてズームレンズの前群レンズの中の第２レンズ群ＬF2を保持し、更に後方より請求項において第２レンズ群保持部材と称した薄板からなるレンズ保持板５にて第２レンズ群ＬF2を押さえている。また、外周にはオスヘリコイド４ａが螺設され、オスヘリコイド４ａがカム筒２のメスヘリコイド２ｃと螺合している。
【００１１】
　また、第２レンズ群保持枠４の前方外周４ｃは、そのまま外観に露出されて外装部材の一つとなっている。
【００１２】
　第２レンズ群保持枠４の前方には、前群レンズの中の第１レンズ群ＬF1を保持する第１レンズ群保持枠６が配置され、第１レンズ群保持枠６は絞り兼用のシャッタ羽根７を挟んで第２レンズ群保持枠４に固着されている。また、シャッタ羽根７を駆動する回路やアクチュエータは第１レンズ群保持枠６の前部８の位置に各々配設されている。
【００１３】
　１１は後群レンズＬRを保持する後群レンズ保持枠であり、後群レンズ保持枠１１の外周の３カ所に設けられた光軸に平行な凸部１１ａと、第２レンズ群保持枠４の後方内周の３カ所に設けられた光軸に平行な凹部４ｂとが係合している。従って、後群レンズ保持枠１１は第２レンズ群保持枠４によって同一の光軸を維持して保持され、後群レンズ保持枠１１は第２レンズ群保持枠４に対して光軸方向に摺動自在であるが、光軸を中心に回転することはできない。また、後群レンズ保持枠１１の凸部１１ａには各々３本のカムピン１２が立設しており、カム筒２の内周にメスヘリコイド２ｃと共に設けられたカム溝２ｄと係合している。
【００１４】
　また、金属板によりＬ字形に曲げられた直進案内板１３がカム筒２の後部２ｅに図示していない部材によって光軸Ｏを中心に回転自在に係着されている。直進案内板１３は光軸Ｏに平行な２本の直進案内部１３ａを有し、直進案内部１３ａは後群レンズ保持枠１１の外周より外側を通過し、第２レンズ群保持枠４の内周に設けた長溝及び貫通孔と係合している。一方、直進案内板１３は光軸Ｏと直交する２つの突部１３ｂを有し、固定胴１に設けられた図示していない光軸Ｏと平行な２本の長溝であるガイド溝と係合している。
【００１５】
　従って、カム筒２が回転しながら進退するときに、直進案内板１３は突部１３ｂによって回転が阻止されてカム筒２と共に直進移動のみ行う。このため、直進案内部１３ａによって第２レンズ群保持枠４は回転が阻止され、直進移動のみ行う。また、第２レンズ群保持枠４に対して後群レンズ保持枠１１が光軸に平行な方向のみ摺動可能に係合しているので、後群レンズ保持枠１１も直進移動のみ行う。
【００１６】
　なお、前述の如くシャッタ駆動部材は第２レンズ群保持枠４の前方にあって、第２レンズ群保持枠の後方は充分なスペースが取れるので、第２レンズ群保持枠４の凹部４ｂと後群保持枠１１の凸部１１ａとの係合長さも充分に取ることができて、第１レンズ群ＬF1即ち、前群レンズと後群レンズＬとの光軸が確実に合致する。
【００１７】
　また、後群レンズ保持枠１１に立設したカムピン１２と、カム筒２のカム溝２ｄとの間には光軸と平行な方向のガタが加工精度上生じている。このガタを吸収するために、第２レンズ群ＬF2を保持するレンズ保持板５の外周３カ所に突部５ａを設け、同様に後群レンズ保持枠１１に設けた突部１１ｂとの間に引っ張りバネ１４を張着する。この結果、カムピン１３はカム溝２ｄ内で常に前方に付勢され、カム溝２ｄの前方側面のみに当接するので、カム溝２ｄのガタは無関係となる。
【００１８】
　なお、前述の如くシャッタ駆動部材は第２レンズ群保持枠４の前方にあるので、このように引っ張りバネ１４を張着することができるのである。
【００１９】
　また、前述とは逆に後群レンズ保持枠１１にカム溝を設け、カム筒２にカムピンを設けるように構成することもできる。
【００２０】
　次に、図１及び図２に加えて図３を参照してレンズカバーの説明を行う。
【００２１】
　図１及び図２において、レンズカバーを構成する部材は、第１レンズ群ＬF1の前方（被写体側）に、第１レンズ群ＬF1側から順に、２枚の部材からなるレンズカバー２１、レンズカバー２１を軸孔２１ａにて回動自在に軸支した支軸２２を保持するレンズカバーベース２３、後述する部材によって回動し、閉鎖状態にあるレンズカバー２１を開放させるレンズカバーリング２４、これらの部材を被覆し薄板を絞り加工した外装部材である化粧枠２５が配置されている。
【００２２】
　また、レンズカバーリング２４をレンズカバーベース２３に円周状に設けられた溝に挿入することにより、光軸Ｏを中心とした位置決めがなされ、レンズカバーリング２４の厚み方向に関しては、レンズカバーベース２３の溝の底面と化粧枠２５により位置決めがされる。
【００２３】
　図２において、レンズカバーリング２４には後方に作動ピン２４ａが設けられ、レンズカバーベース２３の長孔２３ａを通してレンズカバー２１の長孔２１ｂと係合している。また、レンズカバーリング２１には図示していないバネが掛かっていて、レンズカバーリング２４を時計方向に付勢している。従って、レンズカバーリング２４が後述する部材によって駆動されないときは、レンズカバー２１は軸孔２１ａを中心に時計方向に回転して閉鎖状態となり、第１レンズ群ＬF1の前面を被覆・保護する。
【００２４】
　次に、図２及び図３を参照してレンズカバーの開閉機構を説明する。図３はレンズカバー駆動機構の平面図であり、図３（Ａ）はレンズカバーが閉鎖した状態の図であり、図３（Ｂ）はレンズカバーが開放した状態の図である。
【００２５】
　両図において、３１はレンズカバー操作部材であり、図示していないカメラ本体若しくは固定胴１に装着されて左右方向に摺動自在であり、引っ張りバネ３２によってー方向に付勢されている。
【００２６】
　３３は第３レンズカバー駆動部材であり、同様にカメラ本体若しくは固定胴１に装着されて左右方向に摺動自在であって、引っ張りバネ３４によって一方向に付勢されており、Ｌ字形に曲げられた第１端部３３ａでレンズカバー操作部材３１と係合している。３５は第２レンズカバー駆動部材であり、第２レンズ群保持枠４の内周に設けた図示していない光軸に平行な長溝と係合して光軸方向に摺動自在であり、レンズカバーが閉鎖しているときは図３（Ａ）の如く後端部３５ａが第３レンズカバー駆動部材３３のＬ字形に曲げられた第２端部３３ｂに当接している。３６は第１レンズカバー駆動部材であり、クランク状に形成され、第１レンズ群保持枠６に設けた支軸３７を中心に、捻りコイルバネ３８によって反時計方向に付勢されており、一端に設けた二股部３６ａにて第２レンズカバー駆動部材３５に立設した係合ピン３５ｂと係合していて、他端部３６ｂの側面はレンズカバーリング２４の後方に折り曲げた係合部２４ｂの側面と係合可能になっている。
【００２７】
　なお、第１レンズ群保持枠６を第２レンズ群保持枠４に固着したときのみ、第１レンズカバー駆動部材３６の二股部３６ａと第２レンズカバー駆動部材３５の係合ピン３５ｂとが係合する。
【００２８】
　以上の構成において、ズームレンズ鏡胴が沈胴しているときは、図３（Ａ）に示すような状態になっており、第１レンズカバー駆動部材３６の他端部３６ｂの側面はレンズカバーリング２４の係合部２４ｂの側面より離れている。従って、前述の如くレンズカバーリング２４は時計方向に回動していてレンズカバー２１を閉鎖状態にしている。
【００２９】
　このような状態からレンズカバー操作部材３１を引っ張りバネ３２に抗して図３（Ｂ）の如く左方に摺動操作すると、第３レンズカバー駆動部材３３も第１端部３３ａにより引っ張りバネ３４に抗して左方に摺動する。すると、第３レンズカバー駆動部材３３の第２端部３３ｂと第２レンズカバー駆動部材３５の後端部３５ａとの当接が外れる。この結果、第２レンズカバー駆動部材３５は捻りコイルバネ３８の付勢力によって後方に摺動する。そして、第３レンズカバー駆動部材３３の第２端部３３ｂは第２レンズカバー駆動部材３５の切り欠き部３５ｃと当接する。
【００３０】
　この状態になると、第３レンズカバー駆動部材３３の第２端部３３ｂの右側面は第２レンズカバー駆動部材３５の後端部３５ａの左側面と当接するので、第３レンズカバー駆動部材３３は引っ張りバネ３４の付勢力によって右方に戻ることができない。しかし、レンズカバー操作部材３１のみは引っ張りバネ３２によって独立して元の位置に戻ることができる。
【００３１】
　また、この状態では第１レンズカバー駆動部材３６が反時計方向に回動するが、これは捻りコイルバネ３８の付勢力の方がレンズカバーリング２４を時計方向に回動させる付勢部材の付勢力より強いためである。この結果、第１レンズカバー駆動部材３６の他端部３６ｂの側面がレンズカバーリング２４の係合部２４ｂの側面を押圧し、レンズカバーリング２４を図２における反時計方向に回動させる。従って、レンズカバーリング２４の作動ピン２４ａの反時計方向の回動によりレンズカバー２１は軸孔２１ａを中心に反時計方向に回動し、レンズカバー２１は開放状態となる。
【００３２】
　なお、前述の如くレンズカバー操作部材３１を操作すると、図示していないスイッチがオンとなってズームレンズ鏡胴は広角の位置まで繰り出され、更に図示していないズームスイッチを操作すると、より望遠の状態に繰り出される。このとき、第２レンズカバー駆動部材３５は第３レンズカバー駆動部材３３より離れた位置になるが、捻りコイルバネ３８によって後方に付勢されても、第２レンズ群保持枠４に設けた図示していないストッパーによって所定の位置以上には後退しない。また、レンズカバー２１は開放状態を維持する。この結果、第１レンズカバー駆動部材３３の第２端部３３ｂの右側面と、第２レンズカバー駆動部材３５の後端部３５ａの左側面との当接が解除されるので、第３レンズカバー駆動部材３３は引っ張りバネ３４の付勢力によって右方に戻ることになる。
【００３３】
　撮影が終了した後に、レンズカバー操作部材３１を再び操作すると、図示していないスイッチがオンとなってズームレンズ鏡胴は沈胴位置まで繰り込まれる。この動作に伴って第２レンズカバー駆動部材３５も後退するが、第３レンズカバー駆動部材３３は原位置に復帰しているので、第２レンズカバー駆動部材３５の後端部が３５ａが第３レンズカバー駆動部材３３の第２端部３３ｂとが当接し、第１レンズ群保持枠６が後退しても第２レンズカバー駆動部材３５は後退できない。この結果、図３（Ａ）に示す如く第１レンズカバー駆動部材３６が回動し、他端部３６ｂの側面がレンズカバーリング２４の係合部２４ｂの側面より離れるので、レンズカバーリング２４は不図示のバネによって回動し、レンズカバー２１を閉鎖状態にする。
【００３４】
　以上の構成におけるズームレンズ鏡胴の作動を以下に説明する。
【００３５】
　前述の如くレンズカバー操作部材３１を操作すると、図示していないスイッチがオンとなって、図４に示す鏡胴駆動モータ４１が回転駆動する。図４は図２に示す小歯車１５を駆動する鏡胴駆動モータ、減速歯車等を図２の向こう側から見た斜視図である。鏡胴駆動モータ４１が回転駆動すると、モータ軸４２に取り付けられたピニオン４３の回転が減速歯車４４，４５，４６，４８を介して光軸方向に長い歯車４９に伝達され、直進案内板１３に回動自在に装着された小歯車１５を回転させる。
【００３６】
　なお、モータ軸４２に複数の羽根を有するプロペラ５１が取り付けられ、フォトインタラプタ５２によりパルス信号を出力する。また、減速歯車４６の歯車軸４７には１枚の羽根を有するプロペラ５３が取り付けられ、フォトインタラプタ５４によりパルス信号を出力する。これらのパルス信号の作用については後述する。
【００３７】
　小歯車１５はカム筒２の大歯車２ｂと歯合しているので、カム筒２は回転しながらオスヘリコイド２ａのリードに応じて固定胴１より繰り出される。カム筒２が回転すると、その回転はメスヘリコイド２ｃによって第２レンズ群保持枠４のオスヘリコイド４ａに伝達されるが、第２レンズ群保持枠４は直進案内板１３によって回転を阻止されているので、オスヘリコイド４ａのリードに応じて直進繰り出しされる。
【００３８】
　第２レンズ群ＬF2は第２レンズ群保持枠４によって保持され、第１レンズ群ＬF1は第１レンズ群保持枠６によって保持されていると共に、第１レンズ群保持枠６はシャッタ羽根７を挟んで第２レンズ群保持枠４に固着されているので、前群レンズである第１レンズ群ＬF1と第２レンズ群ＬF2はそのレンズ間隔を一定に保ったまま、２つのヘリコイドのリードに応じて繰り出されることになる。
【００３９】
　一方、カム筒２のカム溝２ｄの回転によってカムピン１２が光軸方向に移動し、且つ後群レンズ保持枠１１は第２レンズ群保持枠４によって回転が阻止されているので、後群レンズ保持枠１１はカム溝２ｄのカムの形状に応じて直進繰り出しされる。従って、後群レンズＬRはカム筒２のオスヘリコイド２ａのリードとカム形状に応じて直進繰り出しされることになる。
【００４０】
　次に、本ズームレンズ鏡胴におけるズーミングとフォーカシングとについて説明する。本ズームレンズ鏡胴は、広角端と望遠端の間を所定の数の段数、即ちステップに区切った、所謂ステップズーム方式であり、ズーミングとフォーカシングとを同一の機構で行うことができるため、小型で簡単な構成のズームレンズ鏡胴が実現できる。
【００４１】
　図５のステップズーム線図により説明すると、横軸は焦点距離の変化を示し、広角端Ｗから望遠端Ｔまで６ステップに区切っている。縦軸はズームレンズの前群レンズと後群レンズの光軸方向への移動量を示す。前述の如く、前群レンズはヘリコイドのみにより移動するので直線的な移動となるが、後群レンズはカムによって移動するので、任意の移動線図を設けることができる。例えば、広角端Ｗにおける初期位置である無限遠∞の状態〈１〉からフォーカシングを行うときは、至近距離Ｎにおいては〈２〉の状態にレンズを移動させる。この〈２〉の状態は２番目に広角の焦点距離Ｍ1における初期位置の至近距離Ｎに相当し、２番目に広角の焦点距離Ｍ1においてフォーカシングを行うときは、至近距離Ｎにおける〈２〉の状態から無限遠∞における〈３〉の状態にレンズを移動させる。２番目に広角の焦点距離Ｍ1における〈３〉の無限遠∞の状態は、３番目に広角の焦点距離Ｍ2における初期位置の無限遠∞に相当する。このように、ステップズーム方式においては、ズーミングを行いながら、即ち焦点距離を変化させながらフォーカシングを行うので、ズーミングとフォーカシングとを同一の機構で行うことができる。
【００４２】
　このステップズームの構成を図４、図６及び図７により更に詳細に説明する。図６は沈胴位置から撮影領域に至る鏡胴移動のタイミングチャートであり、図７は鏡胴の進退を制御する制御手段のブロック図である。
【００４３】
　図６において、横軸における沈胴位置とは鏡胴が最もフィルム側へ後退した位置であり、非撮影領域とは鏡胴が沈胴位置から繰り出されているが、撮影はできない領域であり、撮影領域とは最も広角である広角端Ｗから最も望遠である望遠端Ｔの間で前述の如く６ステップ（請求項における小領域）で焦点距離を変化させて撮影可能な領域である。縦軸のズーム位置スイッチは、図４に示したプロペラ５３とフォトインタラプタ５４に相当し、撮影領域において各ステップの初期位置を決定させるためのパルス信号（ＬＤＰ２と称す。）を一定の間隔で出力するが、図４に示すように減速歯車４６が回転すると、非撮影領域においてもパルス信号ＬＤＰ２は発生する。沈胴スイッチは図示していないが、鏡胴の移動に伴って非撮影領域においてオンからオフに切り替えられるスイッチである。
【００４４】
　鏡胴が沈胴位置にあるとき、鏡胴の位置制御を開始させるパワースイッチをオンさせると、図７に示す制御回路により沈胴スイッチのオン状態を検知した後、鏡胴駆動モータ４１が回転して鏡胴は繰り出されるが、このときは沈胴スイッチのオン・オフには無関係にズームスイッチのパルス信号ＬＤＰ２の数のみをカウントし、図６の場合は３個目のパルス信号ＬＤＰ２が出力すると鏡胴は停止する。この位置が撮影領域における最初のステップである広角端Ｗの初期位置である。この状態でズームスイッチを作動させれば焦点距離はＭ1〜Ｔに移行して、任意の焦点距離を選択できる。また、フォーカシングを行うときは測距回路からの距離情報と図４に示すプロペラ５１とフォトインタラプタ５２により出力するピッチの細かい連続的なパルス信号（ＬＤＰ１と称す。）の数を対比させて所定の位置で鏡胴を停止させる。
【００４５】
　また、鏡胴が撮影領域にあるとき、パワースイッチをオフさせると、ズーム位置スイッチのパルス信号ＬＤＰ２には無関係に沈胴スイッチのオフ状態を検知した後、鏡胴を後退させ、沈胴スイッチがオンになってから予め定められた所定のパルス信号ＬＤＰ１の数をカウントしたとき鏡胴が沈胴位置に後退したと判断して鏡胴駆動モータ４１を停止する。
【００４６】
　このように、図７に示す制御回路はパワースイッチ、ズームスイッチ、測距回路からの距離情報、パルス信号のＬＤＰ１，ＬＤＰ２、沈胴スイッチの切り替え信号により、鏡胴駆動モータＭの制御を行う。
【図面の簡単な説明】
【００４７】
【図１】ズームレンズ鏡胴の縦断面図である。
【図２】ズームレンズ鏡胴を示す分解斜視図である。
【図３】レンズカバー駆動機構の平面図である。
【図４】鏡胴駆動モータ等の斜視図である。
【図５】ステップズーム線図である。
【図６】鏡胴移動のタイミングチャートである。
【図７】鏡胴の進退を制御する制御手段のブロック図である。
【符号の説明】
【００４８】
　ＬF1　第１レンズ群
　ＬF2　第２レンズ群
　ＬR　後群レンズ
　１　固定胴
　２　カム筒
　４　第２レンズ群保持枠
　５　レンズ保持板
　６　第１レンズ群保持枠
　７　シャッタ羽根
　１１　後群レンズ保持枠
　１３　直進案内板
　１４　引っ張りバネ
　２１　レンズカバー
　２３　レンズカバーベース
　２４　レンズカバーリング
　２５　化粧枠
　３３　第３レンズカバー駆動部材
　３５　第２レンズカバー駆動部材
　３６　第１レンズカバー駆動部材
　５１，５３　プロペラ
　５２，５４　フォトインタラプタ
【図１】
2004046242.tif 000003
【図２】
2004046242.tif 000004
【図３】
2004046242.tif 000005
【図４】
2004046242.tif 000006
【図５】
2004046242.tif 000007
【図６】
2004046242.tif 000008
【図７】
2004046242.tif 000009